(57)【要約】【課題】同一又は異なるソーシャルネットワークに登録した近接モバイルユーザの同一又は異なるＯＳのモバイルデバイスを運用して互いに識別すると共にビジネス情報を交換する技術を提供すること。【解決手段】同一又は異なるソーシャルネットワークに登録した近接モバイルユーザの同一又は異なるＯＳのモバイルデバイスを運用して互いに識別すると共にビジネス情報を交換する技術を開示する。各登録モバイルユーザは、モバイルデバイスを通じて周辺にいる他の登録モバイルユーザを発見する。セントラルサーバーは、インターネットに接続する複数の登録モバイルユーザ間の通信を許可し、かつ異なるモバイルユーザ間のビジネス情報交換を実現する。前記セントラルサーバーは、登録モバイルユーザへの確実な識別を通じて複数の登録モバイルユーザの紹介及び接続を管理し、かつインターネットを通じてモバイルユーザのデバイス固有識別子を割り当て、周辺にいる他のモバイルユーザの検索結果を返してデバイスに人物顔画像と名前及びビジネス情報を提供する。【選択図】図１
2019533204.tif 000002
【特許請求の範囲】
【請求項１】
インターネットに接続する複数の登録モバイルユーザ間の通信を許可し、かつ第１ユーザと第２ユーザ間のビジネス情報交換を実現するセントラルサーバーを含み、前記セントラルサーバーは、モバイルユーザの顔画像及び名前への確実な識別を通じて複数の登録モバイルユーザの紹介及び接続を管理し、各登録モバイルユーザがモバイルデバイスを通じて近接位置にいる他の登録モバイルユーザを発見し、かつ前記セントラルサーバーがインターネットを通じてモバイルユーザのデバイス固有識別子を関連付け、周辺にいる他のモバイルユーザの検索結果を返してデバイスに人物顔画像と名前及びビジネス情報を提供し；前記第１ユーザは、第１モバイル通信デバイスを使用し、前記第２ユーザが第２モバイル通信デバイスを使用し、任意の移動体通信プロバイダネットワーク及びインターネットに各自接続することで、前記セントラルサーバーにアクセスし；
インターネットの接続及びユーザの前記第１モバイル通信デバイス及び第２モバイル通信デバイスにインストールされたアプリケーションを通じて前記セントラルサーバーは、前記第１モバイル通信デバイス及び第２モバイル通信デバイスと通信接続し、かつ前記第１モバイル通信デバイス及び第２モバイル通信デバイスのために各々アプリケーションの固有識別子（ＡＵＩＣ）及び会員の固有識別子（ＭＵＩＣ）を割り当てることに用いられ；
インストールされたアプリケーション内に登録された後、前記セントラルサーバーは、第１ユーザ及び第２ユーザの連絡先情報、顔画像及びビジネス用名刺画像を包括するビジネス情報を保存し、かつ保存されている前記第１ユーザ及び第２ユーザのビジネス情報を提供するために用いられ；
前記第１ユーザは、アプリケーションにおいてレーダーモードを押した後、前記第１モバイル通信デバイスが２つの機能、すなわち、ＢＬＥ  ＣＥＮＴＲＡＬ及びＢＬＥ  ＰＥＲＩＰＨＥＲＡＬをトリガーし、該レーダーモードもインターネット接続をトリガーし、前記第１モバイル通信デバイスの位置を前記セントラルサーバーに知らせ；
前記第２ユーザは、アプリケーションにおいてレーダーモードを押した後、前記第２モバイル通信デバイスが２つの機能、すなわち、ＢＬＥ  ＣＥＮＴＲＡＬ及びＢＬＥ  ＰＥＲＩＰＨＥＲＡＬをトリガーし、該レーダーモードもインターネット接続をトリガーし、前記第２モバイル通信デバイスの位置を前記セントラルサーバーに知らせ；
前記第１モバイル通信デバイスがトリガーしたＢＬＥ  ＰＥＲＩＰＨＥＲＡＬ機能でブロードキャスト信号を送信して保存されている前記第１ユーザ１２のＡＵＩＣ及びＭＵＩＣの情報を宣伝し；前記第２モバイル通信デバイスがトリガーしたＢＬＥ  ＣＥＮＴＲＡＬ機能で近接位置にある第１モバイル通信デバイスのＢＬＥ  ＰＥＲＩＰＨＥＲＡＬ機能から送信されたブロードキャスト信号を受信し、かつ前記第１モバイル通信デバイスから送信されたブロードキャスト信号内のＡＵＩＣ信号を識別及びマッチングした後で前記ブロードキャスト信号を受信し；
前記第１モバイル通信デバイスのブロードキャスト信号を受信した後、前記第２モバイル通信デバイスは、前記第１ユーザのＭＵＩＣ情報を前記セントラルサーバーに送信し；
前記セントラルサーバーは、インターネットを通じて前記第２モバイル通信デバイスから送信された前記第１ユーザのＭＵＩＣ情報を受信し、インターネットを通じて前記第１ユーザのＭＵＩＣ情報を受信した後、保存されている前記第２ユーザ１４のビジネス情報を前記第１モバイル通信デバイスに送信し；
インストールされたアプリケーションを通じて前記セントラルサーバーから送信されたビジネス情報を受信した後、前記第１モバイル通信デバイスのスクリーンに前記第２ユーザの顔画像及び名前を表示し、前記第１ユーザは、顔画像をクリックすることで前記第２ユーザを選択し；
前記セントラルサーバーは、保存されている前記第１ユーザのソーシャルネットワーク保存ファイルから前記第１ユーザのビジネス情報を見つけて該ビジネス情報を前記第２モバイル通信デバイスに送信し、前記ビジネス情報は更に顔画像及び名前の自己紹介等ビジネス情報を含む
ことを特徴とするシステム。
【請求項２】
前記第１モバイル通信デバイスは、前記第１ユーザのＡＵＩＣ及びＭＵＩＣの情報を保存し、前記情報は前記セントラルサーバーがアプリケーションを通じて割り当てる
請求項１に記載のシステム。
【請求項３】
前記第２モバイル通信デバイスは、前記第２ユーザのＡＵＩＣ及びＭＵＩＣ情報を保存し、前記情報は前記セントラルサーバーがアプリケーションを通じて割り当てる
請求項１に記載のシステム。
【請求項４】
前記レーダーモードは、２つの機能、すなわち、ＢＬＥ  ＣＥＮＴＲＡＬ及びＢＬＥ  ＰＥＲＩＰＨＥＲＡＬをトリガーし、あらかじめ定義された時間の長さ及びブロードキャスト信号強度を保持し、ＢＬＥ  ＰＥＲＩＰＨＥＲＡＬ機能が最大２０メートルのクリアランス範囲内における全てその他の登録モバイルユーザにブロードキャスト信号を送信して前記第１ユーザのＡＵＩＣ及びＭＵＩＣの情報をアドバタイジング及びブロードキャストするために用いられる
請求項１に記載のシステム。
【請求項５】
前記第２モバイル通信デバイスのＢＬＥ  ＣＥＮＴＲＡＬ機能は、周辺ＢＬＥ  ＰＥＲＩＰＨＥＲＡＬ機能から送信された全てのブロードキャスト信号を受信し、かつＢＬＥ  ＰＥＲＩＰＨＥＲＡＬ機能から送信されたブロードキャスト信号内のＡＵＩＣ信号を識別及びマッチングした後で前記第１モバイル通信デバイスからのブロードキャスト信号を受信する
請求項１に記載のシステム。
【請求項６】
前記第１ユーザ及び第２ユーザは、会員登録のモバイルユーザで、前記セントラルサーバーが周辺にいる第１ユーザ及び第２ユーザのビジネス情報を公表する
請求項１に記載のシステム。
【請求項７】
前記セントラルサーバーは、周辺会員登録のモバイルユーザのビジネス情報をいかなるユーザに提供する
請求項１に記載のシステム。
【請求項８】
前記セントラルサーバーは、前記第２モバイル通信デバイスから送信されたＭＵＩＣ情報を受信し、前記第２ユーザ位置の周辺その他の登録モバイルユーザの識別信号とする
請求項１に記載のシステム。
【請求項９】
前記セントラルサーバーは、１名以上の選択したその他のユーザの顔画像及び名前を含むがこれに限定されない検索結果の更なるビジネス情報を前記第１ユーザに送信する
請求項１に記載のシステム。
【請求項１０】
セントラルサーバーを利用してインターネットに接続する複数の登録モバイルユーザ間の通信を許可し、かつ第１ユーザと第２ユーザ間のビジネス情報交換を実現し、前記セントラルサーバーは、モバイルユーザの顔画像及び名前への確実な識別を通じて複数の登録モバイルユーザの紹介及び接続を管理し、各登録モバイルユーザがモバイルデバイスを通じて近接位置にいる他の登録モバイルユーザを発見し、かつ前記セントラルサーバーがインターネットを通じてモバイルユーザのデバイス固有識別子を関連付け、周辺にいる他のモバイルユーザの検索結果を返してデバイスに人物顔画像と名前及びビジネス情報を提供するステップと、
前記第１ユーザは、第１モバイル通信デバイスを使用し、前記第２ユーザが第２モバイル通信デバイスを使用し、任意の移動体通信プロバイダネットワーク及び無線ＬＡＮに各自接続することで、インターネットにアクセスするステップと、
インターネットの接続により、第１モバイル通信デバイス及び第２モバイル通信デバイス上にインストールされたアプリケーションを通じて前記セントラルサーバーと前記第１モバイル通信デバイス及び第２モバイル通信デバイスとの通信を実現し、かつ第１ユーザ及び第２ユーザの保存されている顔画像、名前、住所を包括する自己紹介等ビジネス情報を提供するステップと、
前記セントラルサーバーは、前記第１ユーザ及び第２ユーザの詳細な連絡方法、顔画像、名刺画像を包括する登録ビジネス情報を保存し、かつ前記第１ユーザ及び前記第２ユーザの保存されているビジネス情報を提供するステップと、
インターネットの接続及びユーザの前記第１モバイル通信デバイス及び第２モバイル通信デバイスにインストールされたアプリケーションを通じて前記セントラルサーバーは、前記第１モバイル通信デバイス及び第２モバイル通信デバイスと通信接続し、かつ前記第１モバイル通信デバイス及び第２モバイル通信デバイスのために各々アプリケーションの固有識別子（ＡＵＩＣ）及び会員の固有識別子（ＭＵＩＣ）を割り当てることに用いられるステップと、
前記第１ユーザは、アプリケーションにおいてレーダーモードを押した後、前記第１モバイル通信デバイスが２つの機能、すなわち、ＢＬＥ  ＣＥＮＴＲＡＬ及びＢＬＥ  ＰＥＲＩＰＨＥＲＡＬをトリガーするステップと、
前記第１ユーザは、アプリケーションにおいてレーダーモードを押した後、第１モバイル通信デバイスがインターネット接続をトリガーして前記第１モバイル通信デバイスの位置を前記セントラルサーバーに知らせるステップと、
前記第２ユーザは、アプリケーションにおいてレーダーモードを押した後、前記第２モバイル通信デバイスが２つの機能、すなわち、ＢＬＥ  ＣＥＮＴＲＡＬ及びＢＬＥ  ＰＥＲＩＰＨＥＲＡＬをトリガーするステップと、
前記第２ユーザは、アプリケーションにおいてレーダーモードを押した後、第２モバイル通信デバイスがインターネット接続をトリガーして前記第２モバイル通信デバイスの位置を前記セントラルサーバーに知らせるステップと、
前記第１モバイル通信デバイスがトリガーしたＢＬＥ  ＰＥＲＩＰＨＥＲＡＬ機能でブロードキャスト信号を送信して保存されている前記第１ユーザ１２のＡＵＩＣ及びＭＵＩＣの情報を宣伝するステップと、
前記第２モバイル通信デバイスがトリガーしたＢＬＥ  ＣＥＮＴＲＡＬ機能で近接位置にある第１モバイル通信デバイスのＢＬＥ  ＰＥＲＩＰＨＥＲＡＬ機能から送信されたブロードキャスト信号を受信し、かつ前記第１モバイル通信デバイスから送信されたブロードキャスト信号内のＡＵＩＣ信号を識別及びマッチングした後で前記ブロードキャスト信号を受信するステップと、
前記セントラルサーバーは、インターネットを通じて前記第２モバイル通信デバイスから送信された前記第１ユーザのＭＵＩＣ情報を受信し、インターネットを通じて前記第１ユーザのＭＵＩＣ情報を受信した後、前記第２ユーザ１４の連絡情報、顔画像及び名刺画像を前記第１モバイル通信デバイスに送信するステップと、
インストールされたアプリケーションを通じて前記セントラルサーバーから送信されたビジネス情報を受信した後、前記第１モバイル通信デバイスのスクリーンに前記第２ユーザの顔画像及び名前を表示し、前記第１ユーザは、顔画像をクリックすることで前記第２ユーザを選択するステップと、
前記セントラルサーバーは、保存されている前記第１ユーザのソーシャルネットワーク保存ファイルから前記第１ユーザのビジネス情報を見つけて前記ビジネス情報を前記第２モバイル通信デバイスに送信し、前記ビジネス情報は更に顔画像及び名前の自己紹介等ビジネス情報を含むがこれに限定されないステップと、を含む
ことを特徴とする方法。
【請求項１１】
前記第１モバイル通信デバイスは、前記第１ユーザのＡＵＩＣ及びＭＵＩＣの情報を保存し、前記情報は前記セントラルサーバーがアプリケーションを通じて割り当てるステップを更に含む
請求項１０に記載の方法。
【請求項１２】
前記第２モバイル通信デバイスは、前記第２ユーザのＡＵＩＣ及びＭＵＩＣ情報を保存し、前記情報は前記セントラルサーバーがアプリケーションを通じて割り当てるステップを更に含む
請求項１０に記載の方法。
【請求項１３】
前記レーダーモードは、２つの機能、すなわち、ＢＬＥ  ＣＥＮＴＲＡＬ及びＢＬＥ  ＰＥＲＩＰＨＥＲＡＬをトリガーし、あらかじめ定義された時間の長さ及びブロードキャスト信号強度を保持し、ＢＬＥ  ＰＥＲＩＰＨＥＲＡＬ機能が最大２０メートルのクリアランス範囲内における全てその他の登録モバイルユーザにブロードキャスト信号を送信して前記第１ユーザのＡＵＩＣ及びＭＵＩＣの情報をアドバタイジング及びブロードキャストするために用いられるステップを更に含む
請求項１０に記載の方法。
【請求項１４】
前記第２モバイル通信デバイスのＢＬＥ  ＣＥＮＴＲＡＬ機能は、周辺ＢＬＥ  ＰＥＲＩＰＨＥＲＡＬ機能から送信された全てのブロードキャスト信号を受信し、かつＢＬＥ  ＰＥＲＩＰＨＥＲＡＬ機能から送信されたブロードキャスト信号内のＡＵＩＣ信号を識別及びマッチングした後で前記第１モバイル通信デバイスからのブロードキャスト信号を受信するステップを更に含む
請求項１０に記載の方法。
【請求項１５】
前記セントラルサーバーは、周辺にいる第１ユーザ及び第２ユーザのビジネス情報を公表するステップを更に含む
請求項１０に記載の方法。
【請求項１６】
周辺ユーザのＭＵＩＣ情報を受信した後、前記セントラルサーバーは、周辺会員登録のモバイルユーザのビジネス情報をいかなるユーザに提供するステップを更に含む
請求項１０に記載の方法。
【請求項１７】
前記セントラルサーバーは、前記第２モバイル通信デバイスから送信されたＭＵＩＣ情報を受信し、前記第２ユーザ位置の周辺その他の登録モバイルユーザの識別信号とするステップを更に含む
請求項１０に記載の方法。
【請求項１８】
前記セントラルサーバーは、１名以上の選択したその他のユーザの顔画像及び名前を含むがこれに限定されない検索結果の更なるビジネス情報を前記第１ユーザに送信するステップを更に含む
請求項１０に記載の方法。
【請求項１９】
インターネットに接続する複数の登録モバイルユーザ間の通信を許可し、かつ第１ユーザと第２ユーザ間のビジネス情報交換を実現するセントラルサーバーを含み、前記セントラルサーバーは、モバイルユーザの顔画像及び名前への確実な識別を通じて複数の登録モバイルユーザの紹介及び接続を管理し、各登録モバイルユーザがモバイルデバイスを通じて近接位置にいる他の登録モバイルユーザを発見し、かつ前記セントラルサーバーがインターネットを通じてモバイルユーザのデバイス固有識別子を関連付け、周辺にいる他のモバイルユーザの検索結果を返してデバイスに人物顔画像と名前及びビジネス情報を提供し；前記第１ユーザは、第１モバイル通信デバイスを使用し、前記第２ユーザが第２モバイル通信デバイスを使用し、任意の移動体通信プロバイダネットワーク及びインターネットに各自接続することで、前記セントラルサーバーにアクセスし；
インターネットの接続及びユーザの前記第１モバイル通信デバイス及び第２モバイル通信デバイスにインストールされたアプリケーションを通じて前記セントラルサーバーは、前記第１モバイル通信デバイス及び第２モバイル通信デバイスと通信接続し、かつ前記第１モバイル通信デバイス及び第２モバイル通信デバイスのために各々アプリケーションの固有識別子（ＡＵＩＣ）及び会員の固有識別子（ＭＵＩＣ）を割り当てることに用いられ；
前記第１ユーザ向けに設けられた外部サーバーは、前記第１ユーザのＭＵＩＣ及び連絡方法、顔画像及び名刺画像を包括するビジネス情報を保存し、かつ保存されている第１ユーザのビジネス情報を提供するために用いられ；
前記セントラルサーバーは、前記第２ユーザの連絡方法、顔画像及び名刺画像を包括するビジネス情報を保存し、かつ保存されている第２ユーザのビジネス情報を提供するために用いられ；
前記第１ユーザは、アプリケーションにおいてレーダーモードを押した後、前記第１モバイル通信デバイスが２つの機能、すなわち、ＢＬＥ  ＣＥＮＴＲＡＬ及びＢＬＥ  ＰＥＲＩＰＨＥＲＡＬをトリガーし、該レーダーモードもインターネット接続をトリガーし、前記第１モバイル通信デバイスの位置を前記外部サーバーに知らせ；
前記第２ユーザは、アプリケーションにおいてレーダーモードを押した後、前記第２モバイル通信デバイスが２つの機能、すなわち、ＢＬＥ  ＣＥＮＴＲＡＬ及びＢＬＥ  ＰＥＲＩＰＨＥＲＡＬをトリガーし、該レーダーモードもインターネット接続をトリガーし、前記第２モバイル通信デバイスの位置を前記セントラルサーバーに知らせ；
前記第１モバイル通信デバイスがトリガーしたＢＬＥ  ＰＥＲＩＰＨＥＲＡＬ機能でブロードキャスト信号を送信して保存されている前記第１ユーザ１２のＡＵＩＣ及びＭＵＩＣの情報を宣伝し；前記第２モバイル通信デバイスがトリガーしたＢＬＥ  ＣＥＮＴＲＡＬ機能で近接位置にある第１モバイル通信デバイスのＢＬＥ  ＰＥＲＩＰＨＥＲＡＬ機能から送信されたブロードキャスト信号を受信し、かつ前記第１モバイル通信デバイスから送信されたブロードキャスト信号内のＡＵＩＣ信号を識別及びマッチングした後で前記ブロードキャスト信号を受信し；
前記第１モバイル通信デバイスのブロードキャスト信号を受信した後、前記第２モバイル通信デバイスは、前記第１ユーザのＭＵＩＣ情報を送信し；
前記セントラルサーバーは、インターネットを通じて前記第２モバイル通信デバイスから送信された前記第１ユーザのＭＵＩＣ情報を受信し、インターネットを通じて前記第１ユーザのＭＵＩＣ情報を受信した後、保存されている前記第２ユーザのビジネス情報及び第１ユーザのＭＵＩＣ情報を前記外部サーバーに送信し；
インターネットを通じて前記セントラルサーバーから送信された前記第１ユーザのＭＵＩＣ情報及び前記第２ユーザのビジネス情報を受信した後、前記外部サーバーは前記第２ユーザのビジネス情報を前記第１モバイル通信デバイスに伝達及び伝送するために用いられ；
インストールされたアプリケーションを通じて前記外部サーバーから送信された第２ユーザのビジネス情報を受信した後、前記第１モバイル通信デバイスのスクリーンに前記第２ユーザの顔画像及び名前を表示し、前記第１ユーザは、顔画像をクリックすることで前記第２ユーザを選択する
ことを特徴とするシステム。
【請求項２０】
前記第１モバイル通信デバイスは、前記第１ユーザのＡＵＩＣ及びＭＵＩＣの情報を保存し、前記情報は前記セントラルサーバーがアプリケーションを通じて割り当てる
請求項１９に記載のシステム。
【請求項２１】
前記第２モバイル通信デバイスは、前記第２ユーザのＡＵＩＣ及びＭＵＩＣ情報を保存し、前記情報は前記セントラルサーバーがアプリケーションを通じて割り当てる
請求項１９に記載のシステム。
【請求項２２】
前記レーダーモードは、２つの機能、すなわち、ＢＬＥ  ＣＥＮＴＲＡＬ及びＢＬＥ  ＰＥＲＩＰＨＥＲＡＬをトリガーし、あらかじめ定義された時間の長さ及びブロードキャスト信号強度を保持し、ＢＬＥ  ＰＥＲＩＰＨＥＲＡＬ機能が最大２０メートルのクリアランス範囲内における全てその他の登録モバイルユーザにブロードキャスト信号を送信して前記第１ユーザのＡＵＩＣ及びＭＵＩＣの情報をアドバタイジング及びブロードキャストするために用いられる
請求項１９に記載のシステム。
【請求項２３】
前記第２モバイル通信デバイスのＢＬＥ  ＣＥＮＴＲＡＬ機能は、周辺ＢＬＥ  ＰＥＲＩＰＨＥＲＡＬ機能から送信された全てのブロードキャスト信号を受信し、かつＢＬＥ  ＰＥＲＩＰＨＥＲＡＬ機能から送信されたブロードキャスト信号内のＡＵＩＣ信号を識別及びマッチングした後で前記第１モバイル通信デバイスからのブロードキャスト信号を受信する
請求項１９に記載のシステム。
【請求項２４】
前記第１ユーザは、前記外部サーバーの登録ユーザで、前記第２ユーザが前記セントラルサーバーの登録ユーザであり、前記外部サーバー及びセントラルサーバーは前記第１ユーザ及び第２ユーザのビジネス情報をそれぞれ公表する
請求項１９に記載のシステム。
【請求項２５】
セントラルサーバーを利用してインターネットに接続する複数の登録モバイルユーザ間の通信を実現し、かつ第１ユーザと第２ユーザ間のビジネス情報交換を実現し、前記セントラルサーバーは、モバイルユーザの顔画像及び名前への確実な識別を通じて複数の登録モバイルユーザの紹介及び接続を管理し、各登録モバイルユーザがモバイルデバイスを通じて近接位置にいる他の登録モバイルユーザを発見し、かつ前記セントラルサーバーがインターネットを通じてモバイルユーザのデバイス固有識別子を関連付け、周辺にいる他のモバイルユーザの検索結果を返してデバイスに人物顔画像と名前及びビジネス情報を提供するステップと、
前記第１ユーザは、第１モバイル通信デバイスを使用し、前記第２ユーザが第２モバイル通信デバイスを使用し、任意の移動体通信プロバイダネットワーク及びインターネットに各自接続することで、前記セントラルサーバーにアクセスするステップと、
インターネットの接続及びユーザの前記第１モバイル通信デバイス及び第２モバイル通信デバイスにインストールされたアプリケーションを通じて前記セントラルサーバーは、前記第１モバイル通信デバイス及び第２モバイル通信デバイスと通信接続し、かつ前記第１モバイル通信デバイス及び第２モバイル通信デバイスのために各々アプリケーションの固有識別子（ＡＵＩＣ）及び会員の固有識別子（ＭＵＩＣ）を割り当てることに用いられるステップと、
前記第１ユーザ向けに設けられた外部サーバーは、前記第１ユーザのＭＵＩＣ及び連絡方法、顔画像及び名刺画像を包括するビジネス情報を保存し、かつ保存されている第１ユーザのビジネス情報を提供するために用いられるステップと、
前記セントラルサーバーは、前記第２ユーザの連絡方法、顔画像及び名刺画像を包括するビジネス情報を保存し、かつ保存されている第２ユーザのビジネス情報を提供するために用いられるステップと、
前記第１ユーザは、アプリケーションにおいてレーダーモードを押した後、前記第１モバイル通信デバイスが２つの機能、すなわち、ＢＬＥ  ＣＥＮＴＲＡＬ及びＢＬＥ  ＰＥＲＩＰＨＥＲＡＬをトリガーし、該レーダーモードもインターネット接続をトリガーし、前記第１モバイル通信デバイスの位置を前記外部サーバーに知らせるステップと、
前記第１モバイル通信デバイスは、インターネット接続をトリガーして前記第１モバイル通信デバイスの位置を前記外部サーバーに知らせるステップと、
前記第２ユーザは、アプリケーションにおいてレーダーモードを押した後、前記第２モバイル通信デバイスが２つの機能、すなわち、ＢＬＥ  ＣＥＮＴＲＡＬ及びＢＬＥ  ＰＥＲＩＰＨＥＲＡＬをトリガーし、該レーダーモードもインターネット接続をトリガーし、前記第２モバイル通信デバイスの位置を前記セントラルサーバーに知らせるステップと、
前記第２モバイル通信デバイスは、インターネット接続をトリガーして前記第２モバイル通信デバイスの位置を前記セントラルサーバーに知らせるステップと、
前記第１モバイル通信デバイスがトリガーしたＢＬＥ  ＰＥＲＩＰＨＥＲＡＬ機能でブロードキャスト信号を送信して保存されている前記第１ユーザ１２のＡＵＩＣ及びＭＵＩＣの情報を宣伝し；前記第２モバイル通信デバイスがトリガーしたＢＬＥ  ＣＥＮＴＲＡＬ機能で近接位置にある第１モバイル通信デバイスのＢＬＥ  ＰＥＲＩＰＨＥＲＡＬ機能から送信されたブロードキャスト信号を受信し、かつ前記第１モバイル通信デバイスから送信されたブロードキャスト信号内のＡＵＩＣ信号を識別及びマッチングした後で前記ブロードキャスト信号を受信するステップと、
前記第１モバイル通信デバイスのブロードキャスト信号を受信した後、前記第２モバイル通信デバイスは、前記第１ユーザのＭＵＩＣ情報を送信するステップと、
前記セントラルサーバーは、インターネットを通じて前記第２モバイル通信デバイスから送信された前記第１ユーザのＭＵＩＣ情報を受信し、インターネットを通じて前記第１ユーザのＭＵＩＣ情報を受信した後、保存されている前記第２ユーザ１４のビジネス情報及び第１ユーザのＭＵＩＣ情報を前記外部サーバーに送信するステップと、
インターネットを通じて前記セントラルサーバーから送信された前記第１ユーザのＭＵＩＣ情報及び前記第２ユーザのビジネス情報を受信した後、前記外部サーバーは前記第２ユーザのビジネス情報を前記第１モバイル通信デバイスに伝達及び伝送するために用いられるステップと、
インストールされたアプリケーションを通じて前記外部サーバーから送信された第２ユーザのビジネス情報を受信した後、前記第１モバイル通信デバイスのスクリーンに前記第２ユーザの顔画像及び名前を表示し、前記第１ユーザは、顔画像をクリックすることで前記第２ユーザを選択するステップと、を含む
ことを特徴とする方法。
【請求項２６】
前記第１モバイル通信デバイスは、前記第１ユーザのＡＵＩＣ及びＭＵＩＣの情報を保存し、前記情報は前記セントラルサーバーがアプリケーションを通じて割り当てるステップを更に含む
請求項２５に記載の方法。
【請求項２７】
前記第２モバイル通信デバイスは、前記第２ユーザのＡＵＩＣ及びＭＵＩＣ情報を保存し、前記情報は前記セントラルサーバーがアプリケーションを通じて割り当てるステップを更に含む
請求項２５に記載の方法。
【請求項２８】
前記レーダーモードは、２つの機能、すなわち、ＢＬＥ  ＣＥＮＴＲＡＬ及びＢＬＥ  ＰＥＲＩＰＨＥＲＡＬをトリガーし、あらかじめ定義された時間の長さ及びブロードキャスト信号強度を保持し、ＢＬＥ  ＰＥＲＩＰＨＥＲＡＬ機能が最大２０メートルのクリアランス範囲内における全てその他の登録モバイルユーザにブロードキャスト信号を送信して前記第１ユーザのＡＵＩＣ及びＭＵＩＣの情報をアドバタイジング及びブロードキャストするために用いられるステップを更に含む
請求項２５に記載の方法。
【請求項２９】
前記第２モバイル通信デバイスのＢＬＥ  ＣＥＮＴＲＡＬ機能は、周辺ＢＬＥ  ＰＥＲＩＰＨＥＲＡＬ機能から送信された全てのブロードキャスト信号を受信し、かつＢＬＥ  ＰＥＲＩＰＨＥＲＡＬ機能から送信されたブロードキャスト信号内のＡＵＩＣ信号を識別及びマッチングした後で前記第１モバイル通信デバイスからのブロードキャスト信号を受信するステップを更に含む
請求項２５に記載の方法。
【請求項３０】
前記外部サーバー及び前記セントラルサーバーは、各々前記第１ユーザ及び第２ユーザの登録後のビジネス情報を保存し、前記外部サーバー及びセントラルサーバーが前記第１ユーザ及び第２ユーザのビジネス情報をそれぞれ公表するステップを更に含む
請求項２５に記載の方法。
【請求項３１】
インターネットに接続する複数の登録モバイルユーザ間の通信を許可し、かつ第１ユーザと第２ユーザ間のビジネス情報交換を実現するセントラルサーバーを含み、前記セントラルサーバーは、インターネットを通じてモバイルユーザのデバイス固有識別子を関連付け、前記第１ユーザが第１モバイル通信デバイスを使用し、前記第２ユーザが第２モバイル通信デバイスを使用し、任意の移動体通信プロバイダネットワーク及びインターネットに各自接続することで、前記セントラルサーバーにアクセスし；
インターネットの接続及びユーザの前記第１モバイル通信デバイス及び第２モバイル通信デバイスにインストールされたアプリケーションを通じて前記セントラルサーバーは、前記第１モバイル通信デバイス及び第２モバイル通信デバイスと通信接続し、かつ前記第１モバイル通信デバイス及び第２モバイル通信デバイスのために各々アプリケーションの固有識別子（ＡＵＩＣ）及び会員の固有識別子（ＭＵＩＣ）を割り当てることに用いられ；
外部サーバーは、前記第１ユーザ及び前記第２ユーザのＭＵＩＣ情報及び連絡方法、顔画像と名刺画像を包括するビジネス情報を保存し、かつ保存されている第１ユーザ及び第２ユーザのビジネス情報を提供するために用いられ；
前記第１ユーザは、アプリケーションにおいてレーダーモードを押した後、前記第１モバイル通信デバイスが２つの機能、すなわち、ＢＬＥ  ＣＥＮＴＲＡＬ及びＢＬＥ  ＰＥＲＩＰＨＥＲＡＬをトリガーし、該レーダーモードも前記第１モバイル通信デバイスのインターネット接続をトリガーし、前記第１ユーザの位置を前記外部サーバーに知らせ；
前記第２ユーザは、アプリケーションにおいてレーダーモードを押した後、前記第２モバイル通信デバイスが２つの機能、すなわち、ＢＬＥ  ＣＥＮＴＲＡＬ及びＢＬＥ  ＰＥＲＩＰＨＥＲＡＬをトリガーし、該レーダーモードも前記第２モバイル通信デバイスのインターネット接続をトリガーし、前記第２ユーザの位置を前記セントラルサーバーに知らせ；
前記第１モバイル通信デバイスがトリガーしたＢＬＥ  ＰＥＲＩＰＨＥＲＡＬ機能でブロードキャスト信号を送信して保存されている前記第１ユーザのＡＵＩＣ及びＭＵＩＣの情報を宣伝し；前記第２モバイル通信デバイスがトリガーしたＢＬＥ  ＣＥＮＴＲＡＬ機能で近接位置にある第１モバイル通信デバイスのＢＬＥ  ＰＥＲＩＰＨＥＲＡＬ機能から送信されたブロードキャスト信号を受信し、かつ前記第１モバイル通信デバイスから送信されたブロードキャスト信号内のＡＵＩＣ信号を識別及びマッチングした後で前記ブロードキャスト信号を受信し；
前記第１モバイル通信デバイスのブロードキャスト信号を受信した後、前記第２モバイル通信デバイスは、前記第１ユーザのＭＵＩＣ情報を送信し；
前記外部サーバーは、インターネットを通じて前記第２モバイル通信デバイスから送信された前記第１ユーザのＭＵＩＣ情報を受信し、インターネットを通じて前記第１ユーザのＭＵＩＣ情報を受信した後、保存されている前記第２ユーザのビジネス情報を前記第１モバイル通信デバイスに送信し；
インストールされたアプリケーションを通じて前記外部サーバーから送信された第２ユーザのビジネス情報を受信した後、前記第１モバイル通信デバイスのスクリーンに前記第２ユーザの顔画像及び名前を表示し、前記第１ユーザは、顔画像をクリックすることで前記第２ユーザを選択し；
外部サーバーは、前記第２ユーザのソーシャルネットワーク保存ファイルから前記第２ユーザのビジネス情報を取得して前記ビジネス情報を前記第１モバイル通信デバイスに伝送し、前記ビジネス情報は更に顔画像及び名前の自己紹介等ビジネス情報を含む
ことを特徴とするシステム。
【請求項３２】
前記第１モバイル通信デバイスは、前記第１ユーザのＡＵＩＣ及びＭＵＩＣの情報を保存し、前記情報は前記セントラルサーバーがアプリケーションを通じて割り当てることを更に含む
請求項３１に記載のシステム。
【請求項３３】
前記第２モバイル通信デバイスは、前記第２ユーザのＡＵＩＣ及びＭＵＩＣ情報を保存し、前記情報は前記セントラルサーバーがアプリケーションを通じて割り当てることを更に含む
請求項３１に記載のシステム。
【請求項３４】
前記レーダーモードは、２つの機能、すなわち、ＢＬＥ  ＣＥＮＴＲＡＬ及びＢＬＥ  ＰＥＲＩＰＨＥＲＡＬをトリガーし、あらかじめ定義された時間の長さ及びブロードキャスト信号強度を保持し、ＢＬＥ  ＰＥＲＩＰＨＥＲＡＬ機能が最大２０メートルのクリアランス範囲内における全てその他の登録モバイルユーザにブロードキャスト信号を送信して前記第１ユーザのＡＵＩＣ及びＭＵＩＣの情報をアドバタイジング及びブロードキャストするために用いられることを更に含む
請求項３１に記載のシステム。
【請求項３５】
前記第２モバイル通信デバイスのＢＬＥ  ＣＥＮＴＲＡＬ機能は、周辺ＢＬＥ  ＰＥＲＩＰＨＥＲＡＬ機能から送信された全てのブロードキャスト信号を受信し、かつＢＬＥ  ＰＥＲＩＰＨＥＲＡＬ機能から送信されたブロードキャスト信号内のＡＵＩＣ信号を識別及びマッチングした後で前記第１モバイル通信デバイスからのブロードキャスト信号を受信することを更に含む
請求項３１に記載のシステム。
【請求項３６】
前記第１ユーザ及び第２ユーザは、前記外部サーバーの登録ユーザで、前記外部サーバーが第１ユーザ及び第２ユーザのビジネス情報を公表することを更に含む
請求項３１に記載のシステム。
【請求項３７】
前記第１ユーザのＭＵＩＣ情報を受信した後、前記外部サーバーは検索結果内の顔画像及び名前を含むがこれに限定されない第２ユーザのビジネス情報を前記第１ユーザに伝送することを更に含む
請求項３１に記載のシステム。
【請求項３８】
セントラルサーバーを利用してインターネットに接続する複数の登録モバイルユーザ間の通信を許可し、かつ第１ユーザと第２ユーザ間のビジネス情報交換を実現し、前記セントラルサーバーはインターネットを通じてモバイルユーザのデバイス固有識別子を関連付け、前記第１ユーザが第１モバイル通信デバイスを使用し、前記第２ユーザが第２モバイル通信デバイスを使用し、任意の移動体通信プロバイダネットワーク及びインターネットに各自接続することで、前記セントラルサーバーにアクセスするステップと、
インターネットの接続及びユーザの前記第１モバイル通信デバイス及び第２モバイル通信デバイスにインストールされたアプリケーションを通じて前記セントラルサーバーは、前記第１モバイル通信デバイス及び第２モバイル通信デバイスと通信接続し、かつ前記第１モバイル通信デバイス及び第２モバイル通信デバイスのために各々アプリケーションの固有識別子（ＡＵＩＣ）及び会員の固有識別子（ＭＵＩＣ）を割り当てることに用いられるステップと、
外部サーバーは、前記第１ユーザ及び前記第２ユーザのＭＵＩＣ情報及び連絡方法、顔画像と名刺画像を包括するビジネス情報を保存し、かつ保存されている第１ユーザ及び第２ユーザのビジネス情報を提供するために用いられるステップと、
前記第１ユーザは、アプリケーションにおいてレーダーモードを押した後、前記第１モバイル通信デバイスが２つの機能、すなわち、ＢＬＥ  ＣＥＮＴＲＡＬ及びＢＬＥ  ＰＥＲＩＰＨＥＲＡＬをトリガーし、該レーダーモードも前記第１モバイル通信デバイスのインターネット接続をトリガーし、前記第１ユーザの位置を前記外部サーバーに知らせるステップと、
前記第２ユーザは、アプリケーションにおいてレーダーモードを押した後、前記第２モバイル通信デバイスが２つの機能、すなわち、ＢＬＥ  ＣＥＮＴＲＡＬ及びＢＬＥ  ＰＥＲＩＰＨＥＲＡＬをトリガーし、該レーダーモードも前記第２モバイル通信デバイスのインターネット接続をトリガーし、前記第２ユーザの位置を前記セントラルサーバーに知らせるステップと、
前記第１モバイル通信デバイスがトリガーしたＢＬＥ  ＰＥＲＩＰＨＥＲＡＬ機能でブロードキャスト信号を送信して保存されている前記第１ユーザのＡＵＩＣ及びＭＵＩＣの情報を宣伝し；前記第２モバイル通信デバイスがトリガーしたＢＬＥ  ＣＥＮＴＲＡＬ機能で近接位置にある第１モバイル通信デバイスのＢＬＥ  ＰＥＲＩＰＨＥＲＡＬ機能から送信されたブロードキャスト信号を受信し、かつ前記第１モバイル通信デバイスから送信されたブロードキャスト信号内のＡＵＩＣ信号を識別及びマッチングした後で前記ブロードキャスト信号を受信するステップと、
前記第１モバイル通信デバイスのブロードキャスト信号を受信した後、前記第２モバイル通信デバイスは、前記第１ユーザのＭＵＩＣ情報を送信するステップと、
前記外部サーバーは、インターネットを通じて前記第２モバイル通信デバイスから送信された前記第１ユーザのＭＵＩＣ情報を受信し、インターネットを通じて前記第１ユーザのＭＵＩＣ情報を受信した後、保存されている前記第２ユーザのビジネス情報を前記第１モバイル通信デバイスに送信するステップと、
インストールされたアプリケーションを通じて前記外部サーバーから送信された第２ユーザのビジネス情報を受信した後、前記第１モバイル通信デバイスのスクリーンに前記第２ユーザの顔画像及び名前を表示し、前記第１ユーザは、顔画像をクリックすることで前記第２ユーザを選択するステップと、
外部サーバーは、前記第２ユーザのソーシャルネットワーク保存ファイルから前記第２ユーザのビジネス情報を取得して該ビジネス情報を前記第１モバイル通信デバイスに伝送し、前記ビジネス情報は更に顔画像及び名前の自己紹介等ビジネス情報を含むがこれに限定されないステップと、を含む
ことを特徴とする方法。
【請求項３９】
前記第１モバイル通信デバイスは、前記第１ユーザのＡＵＩＣ及びＭＵＩＣの情報を保存し、前記情報は前記セントラルサーバーがアプリケーションを通じて割り当てるステップを更に含む
請求項３８に記載の方法。
【請求項４０】
前記第２モバイル通信デバイスは、前記第２ユーザのＡＵＩＣ及びＭＵＩＣ情報を保存し、前記情報は前記セントラルサーバーがアプリケーションを通じて割り当てるステップを更に含む
請求項３８に記載の方法。
【請求項４１】
前記レーダーモードは、２つの機能、すなわち、ＢＬＥ  ＣＥＮＴＲＡＬ及びＢＬＥ  ＰＥＲＩＰＨＥＲＡＬをトリガーし、あらかじめ定義された時間の長さ及びブロードキャスト信号強度を保持し、ＢＬＥ  ＰＥＲＩＰＨＥＲＡＬ機能が最大２０メートルのクリアランス範囲内における全てその他の登録モバイルユーザにブロードキャスト信号を送信して前記第１ユーザのＡＵＩＣ及びＭＵＩＣの情報をアドバタイジング及びブロードキャストするために用いられるステップを更に含む
請求項３８に記載の方法。
【請求項４２】
前記第２モバイル通信デバイスのＢＬＥ  ＣＥＮＴＲＡＬ機能は、周辺ＢＬＥ  ＰＥＲＩＰＨＥＲＡＬ機能から送信された全てのブロードキャスト信号を受信し、かつＢＬＥ  ＰＥＲＩＰＨＥＲＡＬ機能から送信されたブロードキャスト信号内のＡＵＩＣ信号を識別及びマッチングした後で前記第１モバイル通信デバイスからのブロードキャスト信号を受信するステップを更に含む
請求項３８に記載の方法。
【請求項４３】
前記外部サーバーは、前記第１ユーザ及び第２ユーザの登録後のビジネス情報を保存するために用いられ、かつ前記外部サーバーが前記第１ユーザ及び第２ユーザのビジネス情報をそれぞれ公表するステップを更に含む
請求項３８に記載の方法。
【請求項４４】
前記第１ユーザのＭＵＩＣ情報を受信した後、前記外部サーバーは前記第２ユーザの顔画像及び名前を含むがこれに限定されない検索結果の更なるビジネス情報を前記第１ユーザに送信するステップを更に含む
請求項３８に記載の方法。
【発明の詳細な説明】
【技術分野】
【０００１】
本発明は、通信システム技術分野に関し、特に、通信ネットワーク内の通信装置の信号接続に関する。
【背景技術】
【０００２】
モバイルデバイス及びソーシャルネットワークの爆発的な運用を踏まえ、ビジネス従事者に自分のモバイルデバイスで例えば画像、ソーシャルネットワークにおけるプロファイル、電子メール及び電話番号の特定のカスタマイズされた情報を交換する需要がある。
【発明の概要】
【発明が解決しようとする課題】
【０００３】
現在、すでにビジュアルカード方式により連絡情報を交換する方法がある。しかしながら、現在モバイルデバイスを利用してビジネス情報の探索・発見を実現する情報交流方法がない。かつ、現在モバイルデバイスユーザの商業目のため、インターネットを介して近接位置にあるモバイルデバイスで連絡及び／或いは関連のビジネス情報を交換させる技術がない。
【課題を解決するための手段】
【０００４】
本発明がその技術の課題を解決するために用いる技術の解決案としては、インターネットを通じてインターネットに接続する複数の登録モバイルユーザ間の通信を許可し、かつ近接位置にいる複数のユーザ間のビジネス情報交換を実現するセントラルサーバーを含むシステムを提供する。本発明は、同一又は異なるソーシャルネットワークに登録した近接モバイルユーザの同一又は異なるＯＳのモバイルデバイスを運用して互いに識別すると共にビジネス情報を交換する技術に関する。各登録モバイルユーザは、そのモバイルデバイスを通じて近接位置にいる他の登録モバイルユーザを発見する。セントラルサーバーは、登録モバイルユーザへの確実な識別を通じて複数のモバイルユーザの紹介及び接続を管理し、かつインターネットを通じてモバイルユーザのデバイス固有識別子を割り当て、周辺にいる他のモバイルユーザの検索結果を返してデバイスに人物顔画像と名前及びビジネス情報を提供する。
【発明の効果】
【０００５】
各登録モバイルユーザは、そのモバイルデバイスを通じて近接位置にいる他の登録モバイルユーザを発見する。セントラルサーバーは、登録モバイルユーザへの確実な識別を通じて複数のモバイルユーザの紹介及び接続を管理し、かつインターネットを通じてモバイルユーザのデバイス固有識別子を割り当て、周辺にいる他のモバイルユーザの検索結果を返してデバイスに人物顔画像と名前及びビジネス情報を提供するため、同一又は異なるソーシャルネットワークの近接モバイルユーザが同一又は異なるＯＳのモバイルデバイスを運用して互いに識別すると共にビジネス情報を交換することを実現する。
【０００６】
以下、本発明の実施例及びその他の実施例を更に理解させるため、添付図面及び実施例を組み合わせて本発明に対し更なる説明を行う。
【図面の簡単な説明】
【０００７】
【図１】本発明の好ましい実施例に係るシステムにおけるモバイルデバイスとネットワークを基盤にしたセントラルサーバーとの間の通信接続を示す模式図
【図２】本発明の好ましい実施例に係るシステムにおけるコンピュータ或いはモバイルデバイスが生成する登録サービスに用いるディスプレイを示す模式図
【図３】本発明の好ましい実施例に係るシステムにおけるセントラルサーバーと登録モバイルユーザとの間の情報交換フローチャート
【図４】本発明の好ましい実施例に係るシステムにおけるモバイルユーザがそのＡＵＩＣ及びＭＵＩＣ情報をアドバタイジングすることによってビジネス情報交換が起動し、かつ他のモバイルユーザのビジネス情報を受信するフローチャート
【図５】本発明の好ましい実施例に係るシステムにおける外部サーバーのモバイルユーザがそのＡＵＩＣ及びＭＵＩＣ情報をアドバタイジングすることによってビジネス情報交換を起動し、かつ別の外部サーバーのモバイルユーザのビジネス情報を受信するフローチャート
【図６】本発明の好ましい実施例に係るシステムにおける外部サーバーのモバイルユーザがそのＡＵＩＣ及びＭＵＩＣ情報をアドバタイジングすることによってビジネス情報交換を起動し、かつセントラルサーバーを必要としない状態において別の外部サーバーのモバイルユーザのビジネス情報を受信するフローチャート
【発明を実施するための形態】
【０００８】
本発明の技術の特徴、目的及び効果についてより一層明確に理解してもらうため、添付図面を基に本発明の具体の実施形態を詳細に説明する。
【０００９】
ここで記述する好ましい実施例は、会員が顔画像、名前及び位置等のビジネス情報を通じて近接位置にいるその他の会員を発見することに関する。ビジネス情報は、セントラルサーバーのメモリ内に保存され、セントラルサーバーがインターネットを通じてモバイルユーザのデバイス固有識別子を割り当て、１つの検索プロセスを通じて周辺にいるその他の会員情報を返す。その他の会員を発見するのは、ビジネス情報交換を目的とする。好ましい実施例によれば、モバイルユーザは、顔画像及び名刺画像をアップロードして申込或いは登録サービスを行い、かつ連絡情報をセントラルサーバー内に入力する。
【００１０】
図１は、インターネットを基盤にしたセントラルサーバー１０と複数の登録モバイルユーザとの間の情報交流を示し、第１ユーザ１２と第２ユーザ１４とを包括する。前記セントラルサーバー１０は、第１ユーザ１２と第２ユーザ１４との間のビジネス情報交換に用いられる。モバイルユーザの顔画像及び名前への確実な識別を通じて、前記セントラルサーバー１０は、複数の登録モバイルユーザの紹介及び接続を管理し、かつ前記セントラルサーバー１０がインターネットを通じてモバイルユーザのデバイス固有識別子を関連付け、検索プロセスを通じて周辺その他のモバイルユーザの検索結果を返してデバイスに人物顔画像及び名前とビジネス情報を提供する。
【００１１】
前記第１ユーザ１２は、第１モバイル通信デバイス１６を使用し、前記第２ユーザ１４が第２モバイル通信デバイス１８を使用し、任意の移動体通信プロバイダネットワーク及びインターネットに各自接続することで、前記セントラルサーバー１０にアクセスする。
【００１２】
図２は、コンピュータ又はモバイルデバイス２０が生成した登録サービスに用いるディスプレイインターフェースを示す。該サービスは、ユーザにネットワークを基盤にしたストレージサービスを提供し、送信又は発見されるカスタマイズソーシャルカードの作成、或いはその他の会員登録のモバイルユーザの発見に用いられる。セントラルサーバー１０は、第１ユーザ１２及び第２ユーザ１４の登録ビジネス情報を保存する。モバイルデバイス２０のスクリーンに表示されている画面２２上にモバイルユーザは、例えば名前、パスワード、メールアドレス、電話番号、住所及びその他の関連情報といったビジネス情報を入力でき、それらビジネス情報がインターネットを通じて伝送されると共にセントラルサーバー１０内に保存される。
【００１３】
図３は、セントラルサーバーと登録モバイルユーザとの間の情報交換フローチャートである。インターネットの接続及びデバイスにインストールされたアプリケーションを通じて前記セントラルサーバー１０は、前記第１モバイル通信デバイス１６及び第２モバイル通信デバイス１８と通信接続する。前記セントラルサーバー１０は、前記第１モバイル通信デバイス１６及び第２モバイル通信デバイス１８のために各々アプリケーションの固有識別子（ＡＵＩＣ）及び会員の固有識別子（ＭＵＩＣ）を割り当てることに用いられる。第１ユーザ１２が第１モバイル通信デバイス１６内に入力したビジネス情報は、インターネットを通じて伝送すると共にセントラルサーバー１０内に保存され、第２ユーザ１４が第２モバイル通信デバイス１８内に入力したビジネス情報もインターネットを通じて伝送すると共にセントラルサーバー１０内に保存される。
【００１４】
図４は、登録モバイルユーザがそのＡＵＩＣ及びＭＵＩＣの情報をアドバタイジングすることによってビジネス情報交換を起動し、かつその他の登録モバイルユーザのＡＵＩＣ及びＭＵＩＣの情報を受信するフローチャートである。前記第１ユーザ１２は、アプリケーションにおいてレーダーモードを押した後、前記第１モバイル通信デバイス１６が２つの機能、すなわち、ＢＬＥ  ＣＥＮＴＲＡＬ及びＢＬＥ  ＰＥＲＩＰＨＥＲＡＬをトリガーし、該レーダーモードもインターネット接続をトリガーし、前記第１モバイル通信デバイス１６の位置を前記セントラルサーバー１０に知らせる。同樣に、前記第２ユーザ１４は、アプリケーションにおいてレーダーモードを押した後、前記第２モバイル通信デバイス１８が２つの機能、すなわち、ＢＬＥ  ＣＥＮＴＲＡＬ及びＢＬＥ  ＰＥＲＩＰＨＥＲＡＬをトリガーし、該レーダーモードもインターネット接続をトリガーし、前記第２モバイル通信デバイス１８の位置を前記セントラルサーバー１０に知らせる。
【００１５】
前記第１モバイル通信デバイス１６がトリガーしたＢＬＥ  ＰＥＲＩＰＨＥＲＡＬ機能でブロードキャスト信号を送信して保存されている前記第１ユーザ１２のＡＵＩＣ及びＭＵＩＣ情報を宣伝し；前記第２モバイル通信デバイス１８がトリガーしたＢＬＥ  ＣＥＮＴＲＡＬ機能で最大２０メートル範囲内の近接位置にある第１モバイル通信デバイス１６のＢＬＥ  ＰＥＲＩＰＨＥＲＡＬ機能から送信されたブロードキャスト信号を受信する。更に、前記第１モバイル通信デバイス１６から送信されたブロードキャスト信号内のＡＵＩＣ信号を識別及びマッチングした後、ＢＬＥ  ＣＥＮＴＲＡＬ機能が該ブロードキャスト信号を受信する。
【００１６】
前記セントラルサーバー１０は、インターネットを通じて前記第２モバイル通信デバイス１８から送信された前記第１ユーザ１２のＭＵＩＣ情報を受信し、そしてインターネットを通じて保存されている前記第２ユーザ１４のビジネス情報を前記第１モバイル通信デバイス１６に送信する。前記セントラルサーバー１０は、保存されている前記第１ユーザ１２のソーシャルネットワーク保存ファイル（図示せず）から前記第１ユーザ１２のビジネス情報を見つけて該ビジネス情報を前記第２モバイル通信デバイス１８に送信し、該ビジネス情報は更に顔画像及び名前の自己紹介等ビジネス情報を含むがこれに限定されない。
【００１７】
前記第２ユーザ１４のビジネス情報を受信した後、前記第１モバイル通信デバイス１６はスクリーン上に第２ユーザ１４の顔画像及び名前を表示し、前記第１ユーザ１２が顔画像をクリックすることで、前記第２ユーザ１４を選択できる。
【００１８】
図１は、更にセントラルサーバー１０が周辺にいる全ての登録ユーザ会員のビジネス情報をいかなるユーザにも提供できることを示している。
【００１９】
図３は、更に前記第１モバイル通信デバイス１６にセントラルサーバー１０がアプリケーションプログラムを通じて割り当てたＡＵＩＣ及びＭＵＩＣ情報が保存されていることを示す。前記第１ユーザ１２及び第２ユーザ１４は、会員登録のモバイルユーザであり、かつセントラルサーバー１０が周辺にいる第１ユーザ１２及び第２ユーザ１４のビジネス情報を公開できる。
【００２０】
図４は、更にレーダーモード（図示せず）は、２つの機能、すなわち、ＢＬＥ  ＣＥＮＴＲＡＬ及びＢＬＥ  ＰＥＲＩＰＨＥＲＡＬをトリガーし、あらかじめ定義された時間の長さ及びブロードキャスト信号強度を保持することを示す。ＢＬＥ  ＰＥＲＩＰＨＥＲＡＬ機能は、最大２０メートルのクリアランス範囲内における全てその他の登録モバイルユーザにブロードキャスト信号を送信して前記第１ユーザ１２のＡＵＩＣ及びＭＵＩＣの情報をアドバタイジング及びブロードキャストするために用いられる。前記第２モバイル通信デバイス１８のＢＬＥ  ＣＥＮＴＲＡＬ機能は、周辺ＢＬＥ  ＰＥＲＩＰＨＥＲＡＬ機能から送信された全てのブロードキャスト信号を受信し、かつＢＬＥ  ＰＥＲＩＰＨＥＲＡＬ機能から送信されたブロードキャスト信号内のＡＵＩＣ信号を識別及びマッチングした後で前記第１モバイル通信デバイス１６からのブロードキャスト信号を受信する。
【００２１】
図４は、更に前記セントラルサーバー１０は、前記第２モバイル通信デバイス１８から送信されたＭＵＩＣ情報を受信し、前記第２ユーザ１４位置の周辺その他の登録モバイルユーザの識別信号とすることを示す。前記セントラルサーバー１０は、１名以上の選択したその他のユーザの顔画像及び名前を含むがこれに限定されない検索結果の更なるビジネス情報を前記第１ユーザ１２に送信する。
【００２２】
図４及び図１乃至図３を参考すると、登録モバイルユーザは、どのように下記の４つのステップでビジネス情報の交換を行うかを詳細に示している。
【００２３】
ステップ１：２名以上の登録モバイルユーザ（ここで第１ユーザ１２及び第２ユーザ１４）は、ビジネス情報の交換を望んでいるため、かつインストールされたアプリケーションプログラムにおいてレーダーモードを押す。
【００２４】
ステップ２：ユーザは、アプリケーションプログラムにおいてレーダーモードを押した後、前記第１モバイル通信デバイス１６及び第２モバイル通信デバイス１８が２つの機能、すなわち、ＢＬＥ  ＣＥＮＴＲＡＬ及びＢＬＥ  ＰＥＲＩＰＨＥＲＡＬをトリガーする。前記第１モバイル通信デバイス１６がトリガーしたＢＬＥ  ＰＥＲＩＰＨＥＲＡＬ機能でブロードキャスト信号を送信して保存されている前記第１ユーザ１２のＡＵＩＣ及びＭＵＩＣ情報を宣伝する。前記第２モバイル通信デバイス１８がトリガーしたＢＬＥ  ＣＥＮＴＲＡＬ機能で最大２０メートル範囲内の近接位置にある第１モバイル通信デバイス１６のＢＬＥ  ＰＥＲＩＰＨＥＲＡＬ機能から送信されたブロードキャスト信号を受信する。ＢＬＥ  ＣＥＮＴＲＡＬ機能は、前記第１モバイル通信デバイス１６のＢＬＥ  ＰＥＲＩＰＨＥＲＡＬ機能から送信されたブロードキャスト信号内のＡＵＩＣ信号を識別及びマッチングした後で該ブロードキャスト信号を受信する。
【００２５】
ステップ３：前記第１モバイル通信デバイス１６のブロードキャスト信号内のＡＵＩＣ情報を受信した後、前記第２モバイル通信デバイス１８は、インターネットを通じて前記第１ユーザ１２のＭＵＩＣ情報を前記セントラルサーバー１０に送信する。前記セントラルサーバー１０は、該ＭＵＩＣ情報を受信し、第２ユーザ位置の周辺その他の登録モバイルユーザの識別信号とする。
【００２６】
ステップ４：前記セントラルサーバー１０は、インターネットを通じて第２モバイル通信デバイス１８から送信された第１ユーザ１２のＭＵＩＣ情報を受信した後、保存されている前記第２ユーザ１４のビジネス情報を前記第１モバイル通信デバイス１６に送信する。そして前記第１モバイル通信デバイス１６は、そのスクリーンに前記第２ユーザ１４の顔画像及び名前を表示し、前記第１ユーザ１２が顔画像をクリックすることで、前記第２ユーザを選択すると共に保存されているビジネス情報を見ることができる。
【００２７】
図５は、外部サーバー３２のモバイルユーザ１２がセントラルサーバー１０に登録され、そのＡＵＩＣ及びＭＵＩＣ情報をアドバタイジングすることでビジネス情報交換を起動し、かつセントラルサーバー１０のモバイルユーザ１４のビジネス情報を受信することを示す。セントラルサーバー１０は、インターネットに接続する複数の登録モバイルユーザ間の通信を許可し、かつ第１ユーザと第２ユーザとの間のビジネス情報交換を実現する。
【００２８】
前記セントラルサーバー１０は、モバイルユーザの顔画像及び名前への確実な識別を通じて複数の登録モバイルユーザの紹介及び接続を管理し、各登録モバイルユーザがモバイルデバイスを通じて近接位置にいるその他の登録モバイルユーザを発見し、前記セントラルサーバー１０はインターネットを通じてモバイルユーザのデバイス固有識別子を関連付け、また周辺その他のモバイルユーザの検索結果を返してデバイスに人物の顔画像及び名前とビジネス情報を提供する。
【００２９】
インターネットの接続及びデバイスにインストールされたアプリケーションを通じて前記セントラルサーバー１０は、前記第１モバイル通信デバイス２６及び第２モバイル通信デバイス２８と通信接続し、かつ前記第１モバイル通信デバイス２６及び第２モバイル通信デバイス２８のために各々アプリケーションの固有識別子（ＡＵＩＣ）及び会員の固有識別子（ＭＵＩＣ）を割り当てることに用いられる。
【００３０】
前記第１ユーザ１２向けに設けられた外部サーバーは、前記第１ユーザ１２の連絡方法、顔画像及び名刺画像を包括するビジネス情報を保存し、かつ保存されている第１ユーザ３２のビジネス情報を提供するために用いられる。前記セントラルサーバー１０は、前記第２ユーザ１４の連絡方法、顔画像及び名刺画像を包括するビジネス情報を保存し、かつ保存されている第２ユーザ１４のビジネス情報を提供するために用いられる。セントラルサーバーは、更に第１ユーザ１２の外部サーバー３２も登録できる。
【００３１】
前記第１ユーザ１２は、アプリケーションにおいてレーダーモードを押した後、前記第１ユーザ１２の第１モバイル通信デバイス２６が２つの機能、すなわち、ＢＬＥ  ＣＥＮＴＲＡＬ及びＢＬＥ  ＰＥＲＩＰＨＥＲＡＬをトリガーし、該アプリケーションが第１モバイル通信デバイス２６内にインストールされている。前記第２ユーザ１４は、アプリケーションにおいてレーダーモードを押した後、前記第２ユーザ１４の第２モバイル通信デバイス２８が２つの機能、すなわち、ＢＬＥ  ＣＥＮＴＲＡＬ及びＢＬＥ  ＰＥＲＩＰＨＥＲＡＬをトリガーし、該アプリケーションが第２モバイル通信デバイス２８内にインストールされている。
【００３２】
前記第１モバイル通信デバイス２６がトリガーしたＢＬＥ  ＰＥＲＩＰＨＥＲＡＬ機能でブロードキャスト信号を送信して保存されている前記第１ユーザ１２のＡＵＩＣ及びＭＵＩＣ情報を宣伝する。前記第２モバイル通信デバイス２８がトリガーしたＢＬＥ  ＣＥＮＴＲＡＬ機能で近接位置にいる第１モバイル通信デバイス２６のＢＬＥ  ＰＥＲＩＰＨＥＲＡＬ機能から送信されたブロードキャスト信号を受信し、かつ前記第１モバイル通信デバイス２６から送信されたブロードキャスト信号内のＡＵＩＣ信号を識別及びマッチングした後、該ブロードキャスト信号を受信する。
【００３３】
前記第１モバイル通信デバイス２６のブロードキャスト信号を受信した後、前記第２モバイル通信デバイス２８は、前記第１ユーザ１２のＭＵＩＣ情報を送信する。
【００３４】
前記セントラルサーバー１０は、インターネットを通じて前記第２モバイル通信デバイス２８から送信された前記第１ユーザ１２のＭＵＩＣ情報を受信し、そして保存されている前記第２ユーザ１４のビジネス情報及び第１ユーザ１２のＭＵＩＣ情報を外部サーバー３２に送信する。
【００３５】
インターネットを通じて前記セントラルサーバーから送信された前記第１ユーザ１２のＭＵＩＣ情報及び前記第２ユーザ１４のビジネス情報を受信した後、前記外部サーバー３２は前記第２ユーザ１４のビジネス情報を前記第１モバイル通信デバイス２６に伝達及び伝送するために用いられる。
【００３６】
インストールされたアプリケーションを通じて前記外部サーバー３２から送信された第２ユーザ１４のビジネス情報を受信した後、前記第１モバイル通信デバイス２６のスクリーンに前記第２ユーザ１４の顔画像及び名前を表示し、前記第１ユーザ１２は、顔画像をクリックすることで前記第２ユーザ１４を選択する。
【００３７】
前記第１モバイル通信デバイス２６は、前記第１ユーザのＡＵＩＣ及びＭＵＩＣの情報を保存し、該情報は前記外部サーバー３２がアプリケーションを通じて割り当てる。前記第２モバイル通信デバイス２８は、ＡＵＩＣ及びＭＵＩＣの情報を保存し、該情報は前記セントラルサーバー１０がアプリケーションを通じて割り当てる。前記第１モバイル通信デバイス２６のＭＵＩＣ情報及びその外部サーバー３２もセントラルサーバー内に登録する。外部サーバー及びセントラルサーバーは、同じＡＵＩＣ情報を全ての会員のモバイルデバイス内に割り当てる。
【００３８】
第１ユーザ１２及び第２ユーザ１４は、各々外部サーバー３２及びセントラルサーバー１０の登録会員で、外部サーバー３２及びセントラルサーバー１０が第１ユーザ１２及び第２ユーザ１４のビジネス情報をそれぞれ公表できる。前記セントラルサーバー１０は、第２モバイル通信デバイス２８から送信されたＭＵＩＣ情報を受信するために用いられ、該情報が第２ユーザ位置周辺にいるその他のモバイルユーザに関するものである。
【００３９】
図５は、異なるサーバーのモバイルユーザは、どのように下記の４つのステップでビジネス情報の交換を行うかを詳細に示している。
【００４０】
ステップ１：２名以上の登録モバイルユーザ（ここで第１ユーザ１２及び第２ユーザ１４）は、ビジネス情報の交換を望んでいるため、かつインストールされたアプリケーションプログラムにおいてレーダーモードを押す。
【００４１】
ステップ２：ユーザは、アプリケーションプログラムにおいてレーダーモードを押した後、前記第１モバイル通信デバイス１６及び第２モバイル通信デバイス１８が２つの機能、すなわち、ＢＬＥ  ＣＥＮＴＲＡＬ及びＢＬＥ  ＰＥＲＩＰＨＥＲＡＬをトリガーする。前記第１モバイル通信デバイス１６がトリガーしたＢＬＥ  ＰＥＲＩＰＨＥＲＡＬ機能でブロードキャスト信号を送信して保存されている前記第１ユーザ１２のＡＵＩＣ及びＭＵＩＣ情報を宣伝する。前記第２モバイル通信デバイス１８がトリガーしたＢＬＥ  ＣＥＮＴＲＡＬ機能で最大２０メートル範囲内の近接位置にある第１モバイル通信デバイス１６のＢＬＥ  ＰＥＲＩＰＨＥＲＡＬ機能から送信されたブロードキャスト信号を受信する。ＢＬＥ  ＣＥＮＴＲＡＬ機能は、前記第１モバイル通信デバイス１６のＢＬＥ  ＰＥＲＩＰＨＥＲＡＬ機能から送信されたブロードキャスト信号内のＡＵＩＣ信号を識別及びマッチングした後で該ブロードキャスト信号を受信する。
【００４２】
ステップ３：前記第１モバイル通信デバイス２６のブロードキャスト信号を受信した後、前記第２モバイル通信デバイス２８は、前記第１ユーザ１２のＭＵＩＣ情報を送信する。前記セントラルサーバー１０は、インターネットを通じて前記第２モバイル通信デバイス２８から送信された前記第１ユーザ１２のＭＵＩＣ情報を受信し、そして保存されている前記第２ユーザ１４のビジネス情報及び第１ユーザ１２のＭＵＩＣ情報を外部サーバー３２に送信する。インターネットを通じて前記セントラルサーバー１０から送信された前記第１ユーザ１２のＭＵＩＣ情報及び前記第２ユーザ１４のビジネス情報を受信した後、前記外部サーバー３２は前記第２ユーザ１４のビジネス情報を前記第１モバイル通信デバイス２６に伝達及び伝送するために用いられる。
【００４３】
ステップ４：インストールされたアプリケーションを通じて前記外部サーバー３２から送信された第２ユーザ１４のビジネス情報を受信した後、前記第１モバイル通信デバイス２６のスクリーンに前記第２ユーザ１４の顔画像及び名前を表示し、前記第１ユーザ１２は、顔画像をクリックすると前記第２ユーザ１４を選択することで保存されているビジネス情報を見ることができる。
【００４４】
図６は、本発明の好ましい実施例に係るシステムにおける外部サーバー４６のモバイルユーザ１２がそのＡＵＩＣ及びＭＵＩＣ情報をアドバタイジングすることによってビジネス情報交換を起動し、かつセントラルサーバーを必要としない状態において別の外部サーバーのモバイルユーザ１４のビジネス情報を受信するフローチャートである。セントラルサーバーは、インターネットに接続する複数の登録モバイルユーザの間の通信を許可し、かつ第１ユーザ１２と第２ユーザ１４の間のビジネス情報交換を実現し、前記セントラルサーバー１０がインターネットを通じてモバイルユーザのデバイス固有識別子を割り当てる。
【００４５】
インターネットの接続及びデバイスにインストールされたアプリケーションを通じて前記セントラルサーバー１０は、各々前記第１モバイル通信デバイス４０及び第２モバイル通信デバイス４２と通信接続し、かつ前記第１モバイル通信デバイス４０及び第２モバイル通信デバイス４２のために各々アプリケーションの固有識別子（ＡＵＩＣ）及び会員の固有識別子（ＭＵＩＣ）を割り当てることに用いられる。
【００４６】
外部サーバー４６は、セントラルサーバー１０に登録され、前記第１ユーザ１２及び第２ユーザ１４のＭＵＩＣ情報及び連絡方法、顔画像と名刺画像を包括するビジネス情報を保存し、かつ保存されている第１ユーザ１２及び第２ユーザ１４のビジネス情報を提供する。
【００４７】
前記第１ユーザ１２は、アプリケーションにおいてレーダーモードを押した後、前記第１モバイル通信デバイス４０が２つの機能、すなわち、ＢＬＥ  ＣＥＮＴＲＡＬ及びＢＬＥ  ＰＥＲＩＰＨＥＲＡＬをトリガーし、該レーダーモードも前記第１モバイル通信デバイス４０のインターネット接続をトリガーし、前記第１ユーザ１２の位置を前記外部サーバー４６に知らせる。前記第２ユーザ１４は、アプリケーションにおいてレーダーモードを押した後、前記第２モバイル通信デバイス４２が２つの機能、すなわち、ＢＬＥ  ＣＥＮＴＲＡＬ及びＢＬＥ  ＰＥＲＩＰＨＥＲＡＬをトリガーし、該レーダーモードも前記第２モバイル通信デバイス４２のインターネット接続をトリガーし、前記第２ユーザ１４の位置を前記外部サーバー４６に知らせる。前記第１モバイル通信デバイス４０がトリガーしたＢＬＥ  ＰＥＲＩＰＨＥＲＡＬ機能でブロードキャスト信号を送信して保存されている前記第１ユーザ１２のＡＵＩＣ及びＭＵＩＣ情報を宣伝する。前記第２モバイル通信デバイス４２がトリガーしたＢＬＥ  ＣＥＮＴＲＡＬ機能で近接位置にいる第１モバイル通信デバイス４０のＢＬＥ  ＰＥＲＩＰＨＥＲＡＬ機能から送信されたブロードキャスト信号を受信し、かつ前記第１モバイル通信デバイス４０から送信されたブロードキャスト信号内のＡＵＩＣ信号を識別及びマッチングした後、該ブロードキャスト信号を受信する。
【００４８】
前記第１モバイル通信デバイス４０のブロードキャスト信号を受信した後、前記第２モバイル通信デバイス４２は、前記第１ユーザ１２のＭＵＩＣ情報を送信する。
【００４９】
前記外部サーバー４６は、インターネットを通じて前記第２モバイル通信デバイス４２から送信された前記第１ユーザ１２のＭＵＩＣ情報を受信し、そして保存されている前記第２ユーザ１４のビジネス情報を前記第１モバイル通信デバイス４０に送信し、インターネットを通じて前記第１ユーザ１２のＭＵＩＣ情報を受信する。
【００５０】
インストールされたアプリケーションを通じて前記外部サーバー４６から送信された第２ユーザ１４のビジネス情報を受信した後、前記第１モバイル通信デバイス４０のスクリーンに前記第２ユーザ１４の顔画像及び名前を表示し、前記第１ユーザ１２は、顔画像をクリックすることで前記第２ユーザ１４を選択する。外部サーバー４６は、前記第２ユーザ１４のソーシャルネットワーク保存ファイルから前記第２ユーザ１４のビジネス情報を取得して該ビジネス情報を前記第１モバイル通信デバイス４０に伝送し、該ビジネス情報は更に顔画像及び名前の自己紹介等ビジネス情報を含むがこれに限定されない。
【００５１】
第１ユーザ１２及び第２ユーザ１４は、均しく外部サーバー４６の登録会員で、かつ外部サーバー４６が第１ユーザ１２及び第２ユーザ１４のビジネス情報をそれぞれ公表できる。
【００５２】
前記第１ユーザ１２のＭＵＩＣ情報を受信した後、前記外部サーバー４６は検索結果内の顔画像及び名前を含むがこれに限定されない第２ユーザ１４のビジネス情報を前記第１ユーザ１２に伝送する。
【００５３】
図６は、異なるサーバーのモバイルユーザは、セントラルサーバーにかかわらない状態において、下記の４つのステップでビジネス情報の交換を詳細に示している。
【００５４】
ステップ１：２名以上の登録モバイルユーザ（ここで第１ユーザ１２及び第２ユーザ１４）は、ビジネス情報の交換を望んでいるため、かつインストールされたアプリケーションプログラムにおいてレーダーモードを押す。
【００５５】
ステップ２：ユーザは、アプリケーションプログラムにおいてレーダーモードを押した後、前記第１モバイル通信デバイス１６及び第２モバイル通信デバイス１８が２つの機能、すなわち、ＢＬＥ  ＣＥＮＴＲＡＬ及びＢＬＥ  ＰＥＲＩＰＨＥＲＡＬをトリガーする。前記第１モバイル通信デバイス１６がトリガーしたＢＬＥ  ＰＥＲＩＰＨＥＲＡＬ機能でブロードキャスト信号を送信して保存されている前記第１ユーザ１２のＡＵＩＣ及びＭＵＩＣ情報を宣伝する。前記第２モバイル通信デバイス１８がトリガーしたＢＬＥ  ＣＥＮＴＲＡＬ機能で最大２０メートル範囲内の近接位置にある第１モバイル通信デバイス１６のＢＬＥ  ＰＥＲＩＰＨＥＲＡＬ機能から送信されたブロードキャスト信号を受信する。ＢＬＥ  ＣＥＮＴＲＡＬ機能は、前記第１モバイル通信デバイス１６のＢＬＥ  ＰＥＲＩＰＨＥＲＡＬ機能から送信されたブロードキャスト信号内のＡＵＩＣ信号を識別及びマッチングした後で該ブロードキャスト信号を受信する。
【００５６】
ステップ３：前記第１モバイル通信デバイス４０のブロードキャスト信号を受信した後、前記第２モバイル通信デバイス４２は、前記第１ユーザ１２のＭＵＩＣ情報を送信する。前記外部サーバー４６は、インターネットを通じて前記第２モバイル通信デバイス４２から送信された前記第１ユーザ１２のＭＵＩＣ情報を受信し、そしてインターネットを通じて前記第１ユーザ１２のＭＵＩＣ情報を受信した後、保存されている前記第２ユーザ１４のビジネス情報を第１モバイル通信デバイス４０に送信する。
【００５７】
ステップ４：前記第１モバイル通信デバイス４０のスクリーンに前記第２ユーザ１４の顔画像及び名前を表示し、前記第１ユーザ１２は、顔画像をクリックすると前記第２ユーザ１４を選択することで保存されているビジネス情報を見ることができる。
【００５８】
本発明では添付図面を基に実施例を前述の通り開示したが、これらは決して本発明を限定するものではなく、上記具体的実施形態が概念的だけであり、当該技術を熟知する者なら誰でも本発明の教示において、本発明の趣旨及び特許請求の範囲を脱しない範囲内で各種の変動や潤色を加えることができ、これらは本発明の保護内に属する。
【図１】
2019533204.tif 000003
【図２】
2019533204.tif 000004
【図３】
2019533204.tif 000005
【図４】
2019533204.tif 000006
【図５】
2019533204.tif 000007
【図６】
2019533204.tif 000008
【国際調査報告】
2019533204.tif 000009
2019533204.tif 000010